(57)【特許請求の範囲】
【請求項１】
ディスクが載置されるディスクトレイをカートリッジケース内に移動可能に内蔵したカートリッジにおいて、
前記ディスクトレイに該ディスクトレイが前記カートリッジケースに挿入される方向の奥側側部に突出部を有する弾性係止片を設け、前記カートリッジケース内に前記ディスクトレイが前記カートリッジケースに挿入される方向の手前側側部に前記弾性係止片と係合可能な小突起部を設け、
前記ディスクトレイを前記カートリッジケースから抜去する方向へ移動した際に前記弾性係止片と前記小突起部とが係合して前記ディスクトレイを前記カートリッジケースから移動されることを阻止し、また、前記弾性係止片を変形させて前記弾性係止片と前記小突起部との係合を解除し、前記ディスクトレイを前記カートリッジケースから移動可能にしたことを特徴とするカートリッジ。
【請求項２】
請求項１記載のカートリッジが着脱可能に設けられ、該カートリッジを装着した際に、カートリッジケースに内蔵されたディスクトレイをガイド板に沿って装置本体内に引き出し、ディスクに対して少なくとも記録または再生の一方を行うピックアップが設置されている部位まで搬送する搬送機構を備えた情報ディスク装置において、
前記ガイド板に、前記ディスクトレイに設けられた弾性係止片の突出部と当接して、前記弾性係止片と前記カートリッジケースに設けられた小突起部との係合を解除させる傾斜部を設けたことを特徴とする情報ディスク装置。
【発明の詳細な説明】
【０００１】
【発明の属する技術分野】
本発明は、情報記録および／または再生用のディスクをディスクトレイに搭載した状態で内蔵したカートリッジ、および、選択されたディスクをカートリッジから引き出すようにして、そのディスクに対して少なくとも記録または再生の一方を行う構成の情報ディスク装置に係り、特にディスクトレイの移動阻止、その解除構成に関する。
【０００２】
【従来の技術】
従来より、ＣＤ−ＲＯＭ，ＣＤ−Ｒ，ＣＤ−ＲＷなどのディスクに対する再生および／または記録を行う記録／再生装置において、複数枚のディスクを、それぞれ個別のディスクトレイに搭載した状態で１つのカートリッジに内蔵し、このカートリッジを記録／再生装置に装着して、複数のディスクの中から使用する１枚を選択し、その選択されたディスクが搭載されているディスクトレイを、記録／再生装置内に設置されているピックアップによる記録／再生動作範囲内の部位にまで移動させる構成のものがある。
【０００３】
例えば特公平２−５６７４５号公報には、ディスクが搭載されている複数のディスクトレイをカートリッジ（マガジン）にそれぞれ回動可能に設け、選択されたディスクが搭載されているディスクトレイを記録／再生装置内に設置されているピックアップによる記録／再生動作範囲内の部位まで回動させるようにしたディスクプレーヤの構成が記載されている。
【０００４】
特公平２−５６７４５号公報に記載されているディスクプレーヤにおいては、操作者がカートリッジを取り扱う際に、ディスクトレイが不用意にカートリッジ外に突出することを防ぐためにディスクトレイ保持機構が備えられている。
【０００５】
前記のように複数枚のディスクを、それぞれ個別のディスクトレイに搭載した状態で内蔵したカートリッジを用いることによって、ディスクを記録／再生装置に１枚ずつ装着，交換する手間が省ける。
【０００６】
【発明が解決しようとする課題】
しかし、特公平２−５６７４５号公報に記載されているカートリッジでは、ディスクトレイが回転支持軸によって回動する構成になっており、ディスクトレイがカートリッジに対して直線的に移動する構造のものに比べてディスクトレイの移動スペースを広く必要とする。
【０００７】
また、ディスクトレイが回転支持軸によってカートリッジに支持されている構造であるためディスクトレイが外れてしまうことはなく、さらにディスクトレイ保持機構を具備しているため、ディスクトレイが不用意に移動することはなく、したがって、ディスクトレイからディスクが落下して、損傷を与えることなどを防止することができる。その反面、ディスクトレイは回動可能範囲しか移動することができず、移動の自由度に問題がある。
【０００８】
本発明の目的は、前記従来の問題を解決し、ディスクトレイがカートリッジから完全に抜き出される構造のものであっても、カートリッジに対してディスクトレイが不用意に出てしまうことを防止するとともに、ディスクの交換、あるいは装置に装着して記録／再生を行う際には、ディスクトレイをカートリッジから引き出せるようにしたカートリッジおよび情報ディスク装置を提供することにある。
【０００９】
【課題を解決するための手段】
前記目的を達成するため、請求項１記載の発明は、ディスクが載置されるディスクトレイをカートリッジケース内に移動可能に内蔵したカートリッジにおいて、前記ディスクトレイに該ディスクトレイが前記カートリッジケースに挿入される方向の奥側側部に突出部を有する弾性係止片を設け、前記カートリッジケース内に前記ディスクトレイが前記カートリッジケースに挿入される方向の手前側側部に前記弾性係止片と係合可能な小突起部を設け、前記ディスクトレイを前記カートリッジケースから抜去する方向へ移動した際に前記弾性係止片と前記小突起部とが係合して前記ディスクトレイを前記カートリッジケースから移動されることを阻止し、また、前記弾性係止片を変形させて前記弾性係止片と前記小突起部との係合を解除し、前記ディスクトレイを前記カートリッジケースから移動可能にしたものであり、この構成によって、ディスクトレイがカートリッジから完全に抜き出される構造のものであっても、弾性係止片と小突起部とが係合しているため、ディスクトレイのカートリッジからの脱落を防止することができ、またディスクトレイへのディスク交換などの際には、弾性係止片を変形させて小突起部との係合を解除できるため、ディスクトレイとカートリッジとの係止関係が解除されてディスクトレイの外部への移動が行われるため、ディスク交換作業などを支障なく行うことができる。
【００１０】
また請求項２記載の発明は、請求項１記載のカートリッジが着脱可能に設けられ、該カートリッジを装着した際に、カートリッジケースに内蔵されたディスクトレイをガイド板に沿って装置本体内に引き出し、ディスクに対して少なくとも記録または再生の一方を行うピックアップが設置されている部位まで搬送する搬送機構を備えた情報ディスク装置において、前記ガイド板に、前記ディスクトレイに設けられた弾性係止片の突出部と当接して、前記弾性係止片と前記カートリッジケースに設けられた小突起部との係合を解除させる傾斜部を設けたものであり、この構成によって、ディスクトレイのカートリッジからの脱落を防止する構造のものであっても、ディスクトレイの弾性係止片とカートリッジケースの小突起部との係合を解除させる傾斜部を、情報ディスク装置本体のガイド板に設けたことにより、装置本体に装填されて記録／再生を行う際には、ディスクトレイとカートリッジとの係止関係が解除され、ディスクトレイが搬送機構によって抜き出されて支障なく所定の位置まで搬送される。
【００１２】
また本発明は、前記ロック解除用部材を、前記カートリッジの装置本体への挿入を案内するガイドピンにしたものであり、この構成によって、ロック解除用機能とガイド機能とを同一部材に持たせたことにより、ロック解除用部材の設置構成が簡素化されたものになる。
【００１３】
【発明の実施の形態】
図１は本発明の実施形態を説明するための情報ディスク記録／再生装置の分解斜視図であり、１はディスク２を載置するディスクトレイ、３は、一方側が開放され、内部に複数枚のディスクトレイ１が出し入れ可能に装着される箱状のカートリッジである。そして、カートリッジ３が出し入れされる挿入口４を有するフロントカバー５と、トップカバー６と、アンダーカバー７と、サイドフレーム８，９と、リアフレーム１０とにより装置本体の外装体が構成される。
【００１４】
装置本体の内部には、制御，駆動系の回路および電気部品が搭載されるプリント基板１１と、ディスク２に対して光学的に記録／再生を行うためのピックアップ１２およびディスク２を回転駆動するスピンドルモータ１３を備え、かつ駆動機構により上下動されるピックアップモジュール１４と、ピックアップモジュール１４を設置するピックアップモジュール・ベース１５と、ディスク２を押圧してスピンドルモータ１３のターンテーブルにローディングするためのクランプ部材１８が設けられた上下動可能なクランプベース組立体１６と、カートリッジ３が装填されるカートリッジ装着部１７にカートリッジベース１７ａとカートリッジトップベース１７ｂなどが設置される。前記ピックアップモジュール１４とピックアップモジュール・ベース１５とクランプベース組立体１６を組付けることによりピックアップ組立体１９が構成される。
【００１５】
図２はカートリッジ３の外観斜視図、図３はカートリッジ３の開口側の正面図であり、本例では５枚のディスクトレイ１が収納可能であるように、カートリッジケース２０の対向する内壁に５段の溝２１が設けられおり、図３に示すように、カートリッジケース２０の内壁奥の両側には、収納された各ディスクトレイ１が抜け出さないように、各ディスクトレイ１の一部と係合するロック機構２２，２３が設けられている。
【００１６】
図４はカートリッジ３の側面図、図５はカートリッジ３の底面図であり、図４に示すように、カートリッジケース２０の側壁には、図１に示すサイドフレーム９の内壁部に設けられたロックピン２５と係脱可能なロック溝２６が設けられ、さらにロック機構２２とディスクトレイ１との係合を解除させる解除ボタン２７が設置されている。
【００１７】
カートリッジケース２０の底面には、図１に示すカートリッジベース１７ａに設けられた付勢スプリングおよび付勢部材などからなるカートリッジ排出用付勢部３０と係合する溝３１と、カートリッジベース１７ａに設けられた複数（図１には３個を示す）のガイドピン３２が移動するガイド溝３３とが形成されている。ガイド溝３３の奥側終端部にはロック機構２２，２３における第１のロック解除レバー（後で詳述する）３４の一部が露出するように設けられている。
【００１８】
またカートリッジケース２０における装置本体内へ挿入される側である開口３５側とは反対側に突出周部３６が設けられ、この突出周部３６に、カートリッジ３がフロントカバー５における挿入口４に挿入された状態でフロントカバー５と弾接する弾性密閉部材３７を設け、図４に示すように、挿入口４の周囲を外部から遮断して塵埃などが外部から装置本体に侵入しないようにしている。
【００１９】
図６はディスクトレイ１の平面図であり、ディスクトレイ１は、ディスク２が載置される略半円板状をなす載置面４０を有し、載置面４０における切欠部４０ａを有する側が、カートリッジケース２０における開口３５側に有るようにカートリッジケース２０に挿入される。ディスクトレイ１の切欠部４０ａにおける両側には延出腕部４１，４２が設けられ、本例では構成部材の配置上、一方の延出腕部４１が他方の延出腕部４２よりも長くなっている。また長い延出腕部４１の先端部には係合爪部４３が形成されている。この係合爪部４３は、図６において、外側を向きかつ下側４３ａが外に向かって下がる傾斜を有している。
【００２０】
ディスクトレイ１の切欠部４０ａと反対側における両延出腕部４１，４２の外側には、一部を切り欠いて弾性係止片４４，４５がそれぞれ形成されている。さらに弾性係止片４４，４５近傍の凹部４６，４７には、図３に示すロック機構２２，２３と係脱する係止凸部４８，４９が形成されている。弾性係止片４４，４５は、それぞれ外側先端部に係止爪４４ａ，４５ａが設けられ、外側中間部に突出部４４ｂ，４５ｂが設けられている。
【００２１】
図７はカートリッジ３における内部機構を説明するため一部を切り欠いて示す平面図であり、カートリッジケース２０における開口３５側の内側壁には、ディスクトレイ１が引き出されたときに、弾性係止片４４，４５における係止爪４４ａ，４５ａと係合する小突起部５０，５１が設けられている。このようにすることによって、ディスクトレイ１が不用意にカートリッジ３から抜け落ちることを防止している。
【００２２】
カートリッジケース２０の内奥側の一方の隅部には、図３に示す一方のロック機構２３を構成する板ばね等からなる弾性係止板材５２が上下５つ並べられるように設けられ、各ディスクトレイ１の係止凸部４８と係合する。さらにカートリッジケース２０の他方の隅部には、他方のロック機構２２を構成する爪付レバー５５が上下５つ並べられるように設けられ、各ディスクトレイ１の係止凸部４９と係合する。爪付レバー５５は、解除ボタン２７と一体に設けられた軸体５４の略中央部に固定されている。軸体５４には嵌合軸５４ａが突設され、さらに外部方向への付勢力をスプリング５６から受けている。
【００２３】
嵌合軸５４ａは中央部が回動可能に軸支５７された第２のロック解除レバー６０の凹部６０ａに嵌合し、第２のロック解除レバー６０にはガイド溝３３の奥側終端部に露出する第１のロック解除レバー３４が固定され、第２のロック解除レバー６０と第１のロック解除レバー３４とが共に回動するようになっている。
【００２４】
図８はクランプベース組立体１６の裏面側の一部を示す斜視図であり、クランプベース組立体１６のサイド部１６ａには、使用選択されたディスクが搭載されているディスクトレイ１における延出腕部４１の係合爪部４３と係合して、カートリッジ３から装置本体内部にディスクトレイ１を引き込むための搬送機構６５とディスクトレイ１の移動をガイドするガイド板６６とが設置されている。
【００２５】
図９はディスクトレイ１を引き込むための搬送機構６５における要部を示す図であり、この搬送機構６５としては種々の構造のものを採用することができ、簡略的に説明すれば、本例ではピックアップ組立体１９に設けられ、図示しない駆動モータから伝達機構を介して駆動力を受け、図９に示すように、装置本体における奥側（フロントカバー５側）と前側（リアフレーム１０側）間を往復動する移動部材６７と、移動部材６７の一部に固定されて係合爪部４３と係合する係合片６８とにより構成されている。
【００２６】
係合片６８は、図９において、ディスクトレイ１における延出腕部４１の係合爪部４３に形成されている外側を向きかつ下側４３ａが外に向かって下がる傾斜に合致させるように、先端が上がるような傾斜角度を持って移動部材６７に固定されている。このような傾斜設定のためディスクトレイ引き込み時には、延出腕部４１に対して駆動力がディスクトレイ１の外側へ向くようにすることができ、内側へ加わる駆動力を抑えることができるため、ディスクトレイ１における長い延出腕部４１から短い延出腕部４２側へ駆動力が伝達されて摺動抵抗が増すことを防ぐことができるため、引き込み時における短い延出腕部４２側の摺動が円滑に行われることになる。
【００２７】
図１０（ａ），（ｂ）は引き込み時におけるディスクトレイ１の弾性係止片４４，４５とカートリッジ３との係合解除の説明図（図には一方の弾性係止片４４側の関連構造のみを示す）であり、本例ではディスクの交換などに際してディスクトレイ１をカートリッジ３から引き出した状態にしても、ディスクトレイ１がカートリッジ３から完全に外れて脱落してしまうことを防止するため、図７に示すように、カートリッジケース２０の小突起部５０（５１）とディスクトレイ１の弾性係止片４４（４５）における係止爪４４ａ（４５ａ）とが係合して抜け出ることを防止している。このため、記録／再生時に、ディスクトレイ１をピックアップ１２の設置部位まで移動させる際に、ディスクトレイ１をカートリッジ３から完全に抜き出して移動させるときには、小突起部５０（５１）と弾性係止片４４（４５）との係合が支障となる。
【００２８】
よって、本例では、ディスクトレイ１を引き込むときに搬送機構６５におけるディスクトレイ１をガイドするガイド板６６に、弾性係止片４４（４５）の突出部４４ｂ（４５ｂ）と当接して弾性係止片４４（４５）を内側に撓めるように作用する解除部材である傾斜部６６ａを設けており、図１０（ａ）に示すディスクトレイ１の引き込み移動過程において、図１０（ｂ）に示すように、弾性係止片４４（４５）を内側へ弾性変形させてカートリッジ３の小突起部５０（５１）との係合を解除させ、ディスクトレイ１の装置本体内部への引き込みが支障なく行えるようにしている。
【００２９】
前記構成のカートリッジ３において、非使用時に各ディスクトレイ１は、一方の係止凸部４８が一方のロック機構２３の弾性係止板材５２とそれぞれ係合し、他方の係止凸部４９が他方のロック機構２２の爪付レバー５５とそれぞれ係合しており、カートリッジ３から引き出すことができない。
【００３０】
ディスクトレイ１にディスク２を装填するか、あるいは交換する際には、カートリッジ３側部の解除ボタン２７を押すと、軸体５４が装置本体内部へ移動して、爪付レバー５５が係止凸部４９から離れる。したがって、ディスクトレイ１をカートリッジケース２０における開口３５から、弾性係止板材５２の弾性係止力に抗して外部へ引き抜くようにすれば、ディスクトレイ１の略全体を引き出すことができる。このとき、カートリッジケース２０の小突起部５０，５１とディスクトレイ１の弾性係止片４４，４５における係止爪４４ａ，４５ａとが係合するため、ディスクトレイ１がさらに抜け出ることはなく、また不用意にディスクトレイ１が抜け落ちてしまうこと等の不具合の発生が防止される。
【００３１】
記録／再生時、カートリッジ３を装置本体内へフロントカバー５の挿入口４から挿入すると、装置本体内のカートリッジベース１７ａのガイドピン３２にカートリッジケース２０の底面におけるガイド溝３３が入り、ガイドピン３２に案内されてカートリッジ３が装置本体の内奥側へ挿入される。カートリッジ３が所定位置まで挿入されると、最も奥側に設置されているガイドピン３２が、ガイド溝３３の奥側終端部に配設されている第１のロック解除レバー３４と当接して押圧する。すると、図７に示すように、第１のロック解除レバー３４が反時計方向へ回動されると共に、第２のロック解除レバー６０も反時計方向へ回動する。この第２のロック解除レバー６０の回動により嵌合軸５４ａを介して軸体５４がスプリング５６の付勢力に抗して押下され、爪付レバー５５がディスクトレイ１の係止凸部４９から離れる。
【００３２】
このようにしてカートリッジ３が装置本体の所定の位置に挿入されてセットされ、かつディスクトレイ１に対する動作ロックが解除され、さらに記録および／または再生のために使用されるディスク２が選択されると、そのディスク２が載置されているディスクトレイ１がカートリッジ３から引き出されることになる。本例ではプリント基板１１に搭載されているＣＰＵ（中央演算処理ユニット）によって各部が駆動制御される。
【００３３】
すなわち、記録／再生時、カートリッジ３が装置本体内に挿入セットされると、ピックアップ組立体１９が、サイドフレーム８に設けられた階段状ガイド機構７０および上下駆動機構などによって、使用されるディスク２を有するディスクトレイ１が収納されているカートリッジケース２０の溝２１の高さまで移動される。移動後、クランプベース組立体１６の搬送機構６５が始動して、図９に示すように、ディスクトレイ１をカートリッジケース２０から引き出し、ディスクトレイ１をスピンドルモータ１３方向へ移動させる。ディスクトレイ１のディスク２がスピンドルモータ１３のターンテーブル上で、かつピックアップ１２に対向する位置に達すると、クランプベース組立体１６がクランプ部材１８によりディスク２をスピンドルモータ１３のターンテーブルに対してローディングする。
【００３４】
前記ローディング完了後、スピンドルモータ１３が回転し、かつディスク２が回転駆動され、ピックアップ１２により公知のような光学的記録／再生動作、および処理が行われる。
【００３５】
【発明の効果】
以上説明したように、本発明によれば、ディスクトレイがカートリッジから完全に抜き出される構造でありながら、ディスクトレイのカートリッジからの脱落を防止することができ、ディスクトレイへのディスク交換などの際には、ディスクトレイとカートリッジとの係止関係が解除されて、ディスクトレイの外部への移動が可能になるため、ディスク交換作業などを支障なく行うことができる。
【００３６】
また、ディスクトレイのカートリッジからの脱落を防止する構造のものであっても、装置本体に装填されて記録／再生を行う際には、ディスクトレイとカートリッジとの係止関係を解除することができるため、ディスクトレイが搬送機構によって抜き出されて、所定の位置まで支障なく搬送することが可能になる。
【図面の簡単な説明】
【図１】本発明の実施形態を説明するための情報ディスク記録／再生装置の分解斜視図
【図２】本発明の実施形態におけるカートリッジの外観斜視図
【図３】本発明の実施形態におけるカートリッジの開口側の正面図
【図４】本発明の実施形態におけるカートリッジの側面図
【図５】本発明の実施形態におけるカートリッジの底面図
【図６】本発明の実施形態におけるディスクトレイの平面図
【図７】本発明の実施形態におけるカートリッジの内部機構を説明するため一部を切り欠いて示す平面図
【図８】本発明の実施形態におけるクランプベース組立体の裏面側一部を示す斜視図
【図９】本発明の実施形態におけるディスクトレイを引き込むための搬送機構の要部を示す図
【図１０】本発明の実施形態における引き込み時のディスクトレイの弾性係止片とカートリッジとの係合解除の説明図
【符号の説明】
１  ディスクトレイ
２  ディスク
３  カートリッジ
４  挿入口
２０  カートリッジケース
２１  溝
２２，２３  ロック機構
２７  解除ボタン
３２  ガイドピン
３３  ガイド溝
３４  第１のロック解除レバー
４９  係止凸部
５４  軸体
５４ａ  嵌合軸
５５  爪付レバー
５６  スプリング
６０  第２のロック解除レバー
６５  搬送機構
【図１】
0003829222.tif 000002
【図２】
0003829222.tif 000003
【図３】
0003829222.tif 000004
【図４】
0003829222.tif 000005
【図５】
0003829222.tif 000006
【図６】
0003829222.tif 000007
【図７】
0003829222.tif 000008
【図８】
0003829222.tif 000009
【図９】
0003829222.tif 000010
【図１０】
0003829222.tif 000011